(57)【特許請求の範囲】
【請求項１】
浴槽と、該浴槽に隣接した床部を備え、該床部の浴槽と対面する側に一段高い段部を設け、該段部上面に開口部を設けて、該段部上面の開口部を蓋部材で蓋するとともに、前記床部における前記浴槽から前記段部に至る方向と直交する方向の両端側には、通り抜け可能に開口部を設けたことを特徴とする浴室ユニット。
【請求項２】
前記蓋部材は、前記浴槽と対面する壁面の幅とほぼ同じ寸法を有することを特徴とする請求項１に記載の浴室ユニット。
【請求項３】
前記段部上面の開口部は、前記段部の幅方向とほぼ同じ寸法の開口を有することを特徴とする請求項１または請求項２に記載の浴室ユニット。
【請求項４】
前記段部の上方に、前板なし、または短寸の前板付きの洗面カウンターを設けたことを特徴とする請求項１または請求項２または請求項３に記載の浴室ユニット。
【発明の詳細な説明】
【技術分野】
【０００１】
本発明は、浴室ユニットに関するものである。
【背景技術】
【０００２】
従来、特許文献１に開示されているように、浴室洗い場の両端に洗い場床面よりも一段高い平面部を形成し、平面部に作業・点検口を設け、作業・点検口を化粧蓋を装着した防水蓋で閉塞した浴室ユニットが存在する。
【特許文献１】特開平８−１７７２５０号公報
【発明の開示】
【発明が解決しようとする課題】
【０００３】
特許文献１に開示されている構造では、浴槽近傍に作業・点検口が設けられており、この作業・点検口は漏水を防ぐために極力小さく開口されたものであり、また、作業・点検口に水が入らないように確実にシールして防水蓋を固定しておく必要があり、そのため、作業・点検を行う際には防水蓋を取り外す作業が面倒且つ困難となり、しかも作業・点検口は小さく開口されているため作業・点検が行い難いという問題点があった。
【課題を解決するための手段】
【０００４】
本発明は上記従来の問題点に鑑み案出したものであって、ユニット内を広く確保することができ、しかも点検作業が容易となる浴室ユニットを提供するものであり、その請求項１は、浴槽と、該浴槽に隣接した床部を備え、該床部の浴槽と対面する側に一段高い段部を設け、該段部上面に開口部を設けて、該段部上面の開口部を蓋部材で蓋するとともに、前記床部における前記浴槽から前記段部に至る方向と直交する方向の両端側には、通り抜け可能に開口部を設けたことである。
【０００５】
また請求項２は、前記蓋部材は、前記浴槽と対面する壁面の幅とほぼ同じ寸法を有することである。
【０００６】
また請求項３は、前記段部上面の開口部は、前記段部の幅方向とほぼ同じ寸法の開口を有することである。
【０００７】
また請求項４は、前記段部の上方に、前板なし、または短寸の前板付きの洗面カウンターを設けたことである。
【発明の効果】
【０００８】
本発明の浴室ユニットは、浴槽と、該浴槽に隣接した床部を備え、該床部の浴槽と対面する側に一段高い段部を設け、該段部上面に開口部を設けて、該段部上面の開口部を蓋部材で蓋するとともに、前記床部における前記浴槽から前記段部に至る方向と直交する方向の両端側には、通り抜け可能に開口部を設けたことにより、段部上面の開口部は浴槽から遠い部位に一段高い段部上面に開口されているため水がかかりにくく、止水処理を行う必要がないため、蓋部材を確実にシールして固定しておく必要がないので、蓋部材を容易に取り外して段部上面の開口部から作業を行うことができ、作業が容易なものとなる。
また、床部における浴槽から段部に至る方向と直交する方向の両端側の開口部により、浴室ユニットの設置状態では、浴室ユニットの床部を通路として利用することができ、例えばランドリーユニットからトイレユニットに向かって浴室ユニットの床部を通って行き来することができる。さらに、床部両端側の開口部により、ランドリーユニット側からトイレユニット側を見通すことができ、極めて広い空間が形成されるものとなる。
【０００９】
また、前記蓋部材は、前記浴槽と対面する壁面の幅とほぼ同じ寸法を有することにより、蓋部材は壁面の幅とほぼ同じ寸法であるため、その上面に物が置き易く、物置スペース等として有効利用することができるものとなる。
【００１０】
また、前記段部上面の開口部は、前記段部の幅方向とほぼ同じ寸法の開口を有することにより、開口部が極めて広く開口されているため、作業が極めて容易に行えるものとなる。
【００１１】
また、前記段部の上方に、前板なし、または短寸の前板付きの洗面カウンターを設けたことにより、前板下端と段部との間に作業者が身体をもぐりこませることができ、段部上方のスペースを有効利用して洗面カウンターを設置することができ、また、蓋部材を外して開口部から給水管，給湯管，排水管の接続や点検等を行う際に、洗面カウンターが邪魔になることがなく、容易に作業が行えるものとなる。
【実施例】
【００１２】
以下、本発明の実施例を図面に基づいて説明する。
図１は、浴室ユニットの設置の一例を示す平面構成図であり、浴室ユニットにトイレユニットとランドリーユニットとキッチンユニットを組み合わせた平面構成図である。
なお、浴室ユニットは、図２に斜視図で、図３に平面図で、また図４に正面縦断面図で示すような構造となっている。
【００１３】
即ち、図２，図３，図４において、浴室ユニット１は、防水パンで構成される床部２を有し、この床部２の左端にエプロン３が立設され、その左側に浴槽４が設置されており、この浴槽４と対面する床部２の右端側には、上方へ立ち上げて立上壁５ａが形成されており、この立上壁５ａの上端が一段高い略水平な段部５となっており、この段部５の上面に開口部５ｂが開口形成されている。
【００１４】
この開口部５ｂは、点検口として使用されるものであり、開口部５ｂの下方側の段部５内には、給水管を集中させた給水用ヘッダー６ａおよび給湯管を集中させた給湯用ヘッダー６ｂが隠蔽状に配置固設されている。
段部５の右端側から右壁パネル７ａが立設されており、この右壁パネル７ａには、段部５の上方に相当のスペースを空けて略水平状に洗面カウンター８が設置されており、洗面カウンター８には、水栓９ａを備えた洗面器９が設けられている。
【００１５】
また、洗面カウンター８の前面には前板１０が垂設されており、この前板１０は上下寸法が短く、前板１０の下端と段部５間には相当の隙間が形成されている。また、洗面カウンター８の上方の右壁パネル７ａには、鏡１１と、その側方に棚を有するキャビネット１２が設置されている。
また、右壁パネル７ａの上端側の天井裏には、天井埋め込み照明１３が設置されている。また、浴槽４側の壁面にも、浴槽４に給水するための水栓４ａが設けられており、その上方にハンドシャワー１４が設けられている。
【００１６】
また、浴槽４の上方の天井面には、ダウンライト１５と、換気扇１６が設けられている。
浴槽４左端の左壁パネル７ｂの下端側には、浴槽４の側方で外側へ突出した収納棚２０が設けられており、この収納棚２０は浴槽４側が開放されて、浴槽４側から手を入れて内部に備品等を置くことができるように構成されており、更に収納棚２０の奥側の奥板２０ａには鏡が設けられている。
【００１７】
この浴室ユニット１の床部２の長手方向両端側には、通り抜け可能に開口部１８ａ，１８ｂが設けられており、床部２が通路として利用できるように構成されており、この床部２には排水口２ａが設けられているが、入浴時に使用する水栓は設けられていない。従って、使用者は浴槽４内でシャワーで身体を洗うことになり、浴槽４側からの水が床部２内になるべく流れ込まないように、エプロン３の上方には天井側からパーティーション１７が垂設されている。なお、開口部１８ａ，１８ｂにはドアを設けても良い。
【００１８】
なお、前記段部５の開口部５ｂは、段部５の幅方向とほぼ同じ寸法に開口されている。即ち、開口部５ｂは、立上壁５ａの上端から右壁パネル７ａに至る幅長を有し、右壁パネル７ａに沿って床部２の長手方向いっぱいの大きさに開口されたものである。
また、この開口部５ｂ上に載せられて開口部５ｂを覆蓋する蓋部材１９も床部２の間口いっぱいの大きさ、即ち右壁パネル７ａの幅とほぼ同じ寸法に設定されている。
【００１９】
このような浴室ユニット１を図１に示すように、トイレユニット等を組み合わせて設置することができ、図１では、浴室ユニット１の開口部１８ａ側にランドリースペースを形成するランドリーユニット２１が設置されており、このランドリーユニット２１内には洗濯機パン２２が設置されている。また、反対側の開口部１８ｂ側にはトイレユニット２３が設置されており、トイレユニット２３内には便器２４と手洗い器２５が設置されている。
【００２０】
この設置状態では、ランドリーユニット２１からトイレユニット２３に向かって浴室ユニット１の床部２を通って行き来することができ、開口部１８ａ，１８ｂのドアを開けておけば、ランドリーユニット２１側からトイレユニット２３側を見通すことができ、極めて広い空間が形成されるものとなる。
【００２１】
また、図１では、浴室ユニット１とトイレユニット２３とランドリーユニット２１の右側にキッチンユニットが設置されており、浴室ユニット１の右壁パネル７ａの裏側にシンク２６を備えたキッチンカウンター２７が設置され、このキッチンカウンター２７と対向してコンロ２８を備えたカウンター２９が設置されている。
【００２２】
このような設置状態では、浴室ユニット１内の水栓９ａ，４ａへの給水管，給湯管、浴室ユニット１の周囲に設置されるトイレユニットの便器２４への給水管、およびランドリーユニット２１の洗濯機パン２２上に設置された洗濯機（図示せず）への給水管、およびキッチンのシンク２６への給水管，給湯管を、全て浴室ユニット１内の段部５内に設置されるヘッダー６ａ，６ｂに集中させ、また図示しないが、洗面器９の排水管９ｂに接続される排水管の他、各ユニットの排水管を排水ヘッダーに集約させて、１カ所で良好に作業できるように構成することができ、しかも作業時には開口部５ｂが、段部５の幅方向とほぼ同じ寸法に極めて広く開口されているため作業がし易いものとなる。なお、上方の洗面カウンター８と開口部５ｂとの間には相当のスペースが形成されているため、開口部５ｂからの作業は極めて容易に行うことができるものとなる。
【００２３】
また、この開口部５ｂは、一段高い段部５の上面に形成されており、浴槽４からは遠い位置にあるため、漏水の心配をする必要もなく、開口部５ｂ上には止水処理をせずに蓋部材１９を載せて、蓋部材１９で覆蓋させることができるものであり、蓋部材１９を容易に取り外して給水管，給湯管，排水管の接続や点検等が可能となる。なお、蓋部材１９も浴槽と対面する壁面の幅とほぼ同じ寸法を有するものであるため、通常はこの蓋部材１９上に備品等の多くのものを置いて、有効に使用することができるものである。
【図面の簡単な説明】
【００２４】
【図１】浴室ユニットの周囲にトイレユニット，ランドリーユニット，キッチンユニットを設置した構成の平面構成図である。
【図２】浴室ユニットの斜視構成図である。
【図３】浴室ユニットの平面構成図である。
【図４】浴室ユニットの正面縦断面構成図である。
【符号の説明】
【００２５】
１  浴室ユニット
２  床部
２ａ  排水口
３  エプロン
４  浴槽
４ａ  水栓
５  段部
５ａ  立上壁
５ｂ  開口部
６ａ  給水用ヘッダー
６ｂ  給湯用ヘッダー
７ａ  右壁パネル
７ｂ  左壁パネル
８  洗面カウンター
９  洗面器
９ａ  水栓
１０  前板
１１  鏡
１２  キャビネット
１３  天井埋め込み照明
１４  ハンドシャワー
１７  パーティーション
１８ａ，１８ｂ  開口部
１９  蓋部材
２０  収納棚
２１  ランドリーユニット
２２  洗濯機パン
２３  トイレユニット
２４  便器
２６  シンク
２７  キッチンカウンター
【図１】
0004813166.tif 000002
【図２】
0004813166.tif 000003
【図３】
0004813166.tif 000004
【図４】
0004813166.tif 000005